【手続補正書】
【提出日】平成29年12月21日(2017.12.21)
【手続補正１】
【補正対象書類名】特許請求の範囲
【補正対象項目名】全文
【補正方法】変更
【補正の内容】
【特許請求の範囲】
【請求項１】
ニアフィールド通信（ＮＦＣ）データ交換フォーマット（ＮＤＥＦ）無線周波数（ＲＦ）インターフェース構成のためのポールモードを使用可能にし、構成することと、
ＮＦＣコントローラ（ＮＦＣＣ）がプロトコルアクティブ化を正常に完了すると、リモートＮＦＣエンドポイントがＮＦＣフォーラムタグを備えると決定することと、
前記ＮＦＣフォーラムタグのＲＦプロトコルに基づいてアクティブ化動作を実行することと
を備える、方法。
【請求項２】
デバイスホスト（ＤＨ）が、前記ＮＤＥＦ  ＲＦインターフェースのためのポールモードを使用可能にするために、前記ＮＦＣＣにＲＦ＿ＤＩＳＣＯＶＥＲ＿ＣＭＤメッセージを送り、前記ＲＦ＿ＤＩＳＣＯＶＥＲ＿ＣＭＤメッセージが、ＲＦ技術を用いた構成と、ＮＦＣ＿Ａ＿ＰＡＳＳＩＶＥ＿ＰＯＬＬ＿ＭＯＤＥ、ＮＦＣ＿Ｂ＿ＰＡＳＳＩＶＥ＿ＰＯＬＬ＿ＭＯＤＥ、およびＮＦＣ＿Ｆ＿ＰＡＳＳＩＶＥ＿ＰＯＬＬ＿ＭＯＤＥのうちの少なくとも１つのモード値とを備える、請求項１に記載の方法。
【請求項３】
前記ＮＦＣフォーラムタグの前記ＲＦプロトコルがＰＲＯＴＯＣＯＬ＿Ｔ１Ｔである場合、アクティブ化動作を実行することが、
ＮＦＣフォーラムタイプ１タグとして前記ＮＦＣフォーラムタグを識別することと、
バージョン処理を実行することと、
前記ＮＦＣフォーラムタグ中でＮＤＥＦメッセージの存在を確認することと
を備える、請求項１に記載の方法。
【請求項４】
前記ＮＦＣフォーラムタグの前記ＲＦプロトコルがＰＲＯＴＯＣＯＬ＿Ｔ２Ｔである場合、アクティブ化動作を実行することが、
バージョン処理を実行することと、
ＮＤＥＦ検出プロシージャを実行することと
を備える、請求項１に記載の方法。
【請求項５】
前記ＮＦＣフォーラムタグの前記ＲＦプロトコルがＰＲＯＴＯＣＯＬ＿Ｔ３Ｔである場合、アクティブ化動作を実行することが、
バージョン処理を実行することと、
ＮＤＥＦ検出を実行することと
を備える、請求項１に記載の方法。
【請求項６】
前記ＮＦＣフォーラムタグの前記ＲＦプロトコルがＰＲＯＴＯＣＯＬ＿Ｔ４Ｔである場合、アクティブ化動作を実行することが、
バージョン処理を実行することと、
ＮＤＥＦ検出プロシージャを実行することと
を備える、請求項１に記載の方法。
【請求項７】
前記リモートＮＦＣエンドポイント上でＮＤＥＦメッセージの前記存在を検出することと、
アクティブ化パラメータとともにデバイスホスト（ＤＨ）にＲＦ＿ＩＮＴＦ＿ＡＣＴＩＶＡＴＥＤ＿ＮＴＦメッセージを送ることと
をさらに備える、請求項１に記載の方法。
【請求項８】
前記ＤＨが前記ＲＦ＿ＩＮＴＦ＿ＡＣＴＩＶＡＴＥＤ＿ＮＴＦメッセージを受信すると、前記ＮＤＥＦメッセージ長および前記ＮＦＣフォーラムタグ属性に基づいて前記ＮＦＣフォーラムタグの現在の状態を決定することをさらに備える、請求項７に記載の方法。
【請求項９】
前記ＮＦＣＣが、フォーマット要件に準拠しないＮＦＣフォーラムコントローラインターフェース（ＮＣＩ）データメッセージを受信すると、ＮＤＥＦ＿ＯＰＥＲＡＴＩＯＮ＿ＩＮＶＡＬＩＤの値に設定された記述子フィールドをもち、パラメータをもたないＮＣＩデータメッセージを送ることをさらに備える、請求項１に記載の方法。
【請求項１０】
ＮＤＥＦ動作に失敗し、前記失敗が、前記ＮＦＣフォーラムタグの前記現在の状態を考慮すると前記ＮＤＥＦ動作が許可されないためであると前記ＮＦＣＣが決定することが可能であるとき、ＮＤＥＦ＿ＯＰＥＲＡＴＩＯＮ＿ＤＩＳＡＬＬＯＷＥＤの値に設定された記述子フィールドをもち、パラメータをもたないＮＣＩデータメッセージを送ることをさらに備える、請求項１に記載の方法。
【請求項１１】
ＮＤＥＦ配置動作に失敗し、前記失敗が前記ＮＦＣフォーラムタグ上に十分な空間がないことによると前記ＮＦＣＣが決定することが可能であるとき、値ＮＤＥＦ＿ＯＰＥＲＡＴＩＯＮ＿ＯＶＥＲＦＬＯＷに設定された前記記述子フィールドをもち、パラメータをもたないＮＣＩデータメッセージを送ることをさらに備える、請求項１に記載の方法。
【請求項１２】
ＮＤＥＦ動作に失敗し、前記ＮＦＣＣが前記失敗の理由を決定することができないとき、値ＮＤＥＦ＿ＯＰＥＲＡＴＩＯＮ＿ＦＡＩＬＥＤに設定された前記記述子フィールドをもち、パラメータをもたないＮＣＩデータメッセージを送ることをさらに備える、請求項１に記載の方法。
【請求項１３】
前記ＮＤＥＦ  ＲＦインターフェースが、前記リモートＮＦＣエンドポイント上でＮＤＥＦメッセージのためのアクセス制御を変更し得る機構を定義する、請求項１に記載の方法。
【請求項１４】
ニアフィールド通信（ＮＦＣ）データ交換フォーマット（ＮＤＥＦ）無線周波数（ＲＦ）インターフェース構成のためのポールモードを使用可能にし、構成するための手段と、
ＮＦＣコントローラ（ＮＦＣＣ）がプロトコルアクティブ化を正常に完了すると、リモートＮＦＣエンドポイントがＮＦＣフォーラムタグを備えると決定するための手段と、
前記ＮＦＣフォーラムタグのＲＦプロトコルに基づいてアクティブ化動作を実行するための手段と
を備える、装置。
【請求項１５】
請求項１−１３のいずれか一項にしたがった方法を実行するための命令をもつコンピュータプログラムであって、前記命令が、
ニアフィールド通信（ＮＦＣ）データ交換フォーマット（ＮＤＥＦ）無線周波数（ＲＦ）インターフェース構成のためのポールモードを使用可能にし、構成することを装置に行わせるためのコードと、
ＮＦＣコントローラ（ＮＦＣＣ）がプロトコルアクティブ化を正常に完了すると、リモートＮＦＣエンドポイントがＮＦＣフォーラムタグを備えると決定することを前記装置に行わせるためのコードと、
前記ＮＦＣフォーラムタグのＲＦプロトコルに基づいてアクティブ化動作を実行することを前記装置に行わせるためのコードと、
を備える、コンピュータプログラム。
【手続補正２】
【補正対象書類名】明細書
【補正対象項目名】０１４２
【補正方法】変更
【補正の内容】
【０１４２】
[00145]特許請求の範囲は、上で示された正確な構成および構成要素に限定されないことを理解されたい。特許請求の範囲から逸脱することなく、本明細書で説明したシステム、方法および装置の構成、動作および詳細において、様々な修正、変更および変形が行われ得る。
以下に本願の出願当初の特許請求の範囲に記載された発明を付記する。
［Ｃ１］
ニアフィールド通信（ＮＦＣ）データ交換フォーマット（ＮＤＥＦ）無線周波数（ＲＦ）インターフェース構成のためのポールモードを使用可能にし、構成することと、
ＮＦＣコントローラ（ＮＦＣＣ）がプロトコルアクティブ化を正常に完了すると、リモートＮＦＣエンドポイントがＮＦＣフォーラムタグを備えると決定することと、
前記ＮＦＣフォーラムタグのＲＦプロトコルに基づいてアクティブ化動作を実行することと
を備える、方法。
［Ｃ２］
デバイスホスト（ＤＨ）が、前記ＮＤＥＦ  ＲＦインターフェースのためのポールモードを使用可能にするために、前記ＮＦＣＣにＲＦ＿ＤＩＳＣＯＶＥＲ＿ＣＭＤメッセージを送り、前記ＲＦ＿ＤＩＳＣＯＶＥＲ＿ＣＭＤメッセージが、ＲＦ技術を用いた構成と、ＮＦＣ＿Ａ＿ＰＡＳＳＩＶＥ＿ＰＯＬＬ＿ＭＯＤＥ、ＮＦＣ＿Ｂ＿ＰＡＳＳＩＶＥ＿ＰＯＬＬ＿ＭＯＤＥ、およびＮＦＣ＿Ｆ＿ＰＡＳＳＩＶＥ＿ＰＯＬＬ＿ＭＯＤＥのうちの少なくとも１つのモード値とを備える、Ｃ１に記載の方法。
［Ｃ３］
前記ＮＦＣフォーラムタグの前記ＲＦプロトコルがＰＲＯＴＯＣＯＬ＿Ｔ１Ｔである場合、アクティブ化動作を実行することが、
ＮＦＣフォーラムタイプ１タグとして前記ＮＦＣフォーラムタグを識別することと、
バージョン処理を実行することと、
前記ＮＦＣフォーラムタグ中でＮＤＥＦメッセージの存在を確認することと
を備える、Ｃ１に記載の方法。
［Ｃ４］
前記ＮＦＣフォーラムタグの前記ＲＦプロトコルがＰＲＯＴＯＣＯＬ＿Ｔ２Ｔである場合、アクティブ化動作を実行することが、
バージョン処理を実行することと、
ＮＤＥＦ検出プロシージャを実行することと
を備える、Ｃ１に記載の方法。
［Ｃ５］
前記ＮＦＣフォーラムタグの前記ＲＦプロトコルがＰＲＯＴＯＣＯＬ＿Ｔ３Ｔである場合、アクティブ化動作を実行することが、
バージョン処理を実行することと、
ＮＤＥＦ検出を実行することと
を備える、Ｃ１に記載の方法。
［Ｃ６］
前記ＮＦＣフォーラムタグの前記ＲＦプロトコルがＰＲＯＴＯＣＯＬ＿Ｔ４Ｔである場合、アクティブ化動作を実行することが、
バージョン処理を実行することと、
ＮＤＥＦ検出プロシージャを実行することと
を備える、Ｃ１に記載の方法。
［Ｃ７］
前記リモートＮＦＣエンドポイント上でＮＤＥＦメッセージの前記存在を検出することと、
アクティブ化パラメータとともにデバイスホスト（ＤＨ）にＲＦ＿ＩＮＴＦ＿ＡＣＴＩＶＡＴＥＤ＿ＮＴＦメッセージを送ることと
をさらに備える、Ｃ１に記載の方法。
［Ｃ８］
前記ＤＨが前記ＲＦ＿ＩＮＴＦ＿ＡＣＴＩＶＡＴＥＤ＿ＮＴＦメッセージを受信すると、前記ＮＤＥＦメッセージ長および前記ＮＦＣフォーラムタグ属性に基づいて前記ＮＦＣフォーラムタグの現在の状態を決定することをさらに備える、Ｃ７に記載の方法。
［Ｃ９］
ＮＤＥＦ取得コマンドに基づいてＮＦＣフォーラムタグから完全なＮＤＥＦメッセージを取り出すことをさらに備える、Ｃ１に記載の方法。
［Ｃ１０］
ＮＤＥＦ配置コマンドに基づいてＮＦＣフォーラムタグ上に完全なＮＤＥＦメッセージを格納することをさらに備える、Ｃ１に記載の方法。
［Ｃ１１］
ＮＤＥＦ読取りアクセスコマンドに基づいて前記リモートＮＦＣエンドポイント上でＮＤＥＦメッセージについての読取りアクセスを変更することをさらに備える、Ｃ１に記載の方法。
［Ｃ１２］
ＮＤＥＦ書込みアクセスコマンドに基づいて前記リモートＮＦＣエンドポイント上でＮＤＥＦメッセージについての書込みアクセスを変更することをさらに備える、Ｃ１に記載の方法。
［Ｃ１３］
ＮＤＥＦメッセージの前記存在が前記リモートＮＦＣエンドポイント上で検出されないとき、前記ＮＤＥＦ  ＲＦインターフェースを使用するのを控えることをさらに備える、Ｃ１２に記載の方法。
［Ｃ１４］
前記ＤＨが、ＩＳＯ−ＤＥＰ  ＲＦインターフェース、アグリゲートフレームＲＦインターフェース、およびフレームＲＦインターフェースのうちの１つを使用することを選択する、Ｃ１３に記載の方法。
［Ｃ１５］
前記ＮＦＣＣが、フォーマット要件に準拠しないＮＦＣフォーラムコントローラインターフェース（ＮＣＩ）データメッセージを受信すると、ＮＤＥＦ＿ＯＰＥＲＡＴＩＯＮ＿ＩＮＶＡＬＩＤの値に設定された記述子フィールドをもち、パラメータをもたないＮＣＩデータメッセージを送ることをさらに備える、Ｃ１に記載の方法。
［Ｃ１６］
ＮＤＥＦ動作に失敗し、前記失敗が、前記ＮＦＣフォーラムタグの前記現在の状態を考慮すると前記ＮＤＥＦ動作が許可されないためであると前記ＮＦＣＣが決定することが可能であるとき、ＮＤＥＦ＿ＯＰＥＲＡＴＩＯＮ＿ＤＩＳＡＬＬＯＷＥＤの値に設定された記述子フィールドをもち、パラメータをもたないＮＣＩデータメッセージを送ることをさらに備える、Ｃ１に記載の方法。
［Ｃ１７］
ＮＤＥＦ配置動作に失敗し、前記失敗が前記ＮＦＣフォーラムタグ上に十分な空間がないことによると前記ＮＦＣＣが決定することが可能であるとき、値ＮＤＥＦ＿ＯＰＥＲＡＴＩＯＮ＿ＯＶＥＲＦＬＯＷに設定された前記記述子フィールドをもち、パラメータをもたないＮＣＩデータメッセージを送ることをさらに備える、Ｃ１に記載の方法。
［Ｃ１８］
ＮＤＥＦ動作に失敗し、前記ＮＦＣＣが前記失敗の理由を決定することができないとき、値ＮＤＥＦ＿ＯＰＥＲＡＴＩＯＮ＿ＦＡＩＬＥＤに設定された前記記述子フィールドをもち、パラメータをもたないＮＣＩデータメッセージを送ることをさらに備える、Ｃ１に記載の方法。
［Ｃ１９］
前記ＮＦＣＣが、送信エラー、プロトコルエラー、およびタイムアウトエラーのうちの少なくとも１つを検出すると、前記ＮＦＣＣが、構成された再試行限度に従って最後のコマンドを再送信する、Ｃ１に記載の方法。
［Ｃ２０］
前記ＮＦＣフォーラムタグから既存のＮＤＥＦメッセージを読み取るように前記ＮＦＣＣに命令することをさらに備える、Ｃ１に記載の方法。
［Ｃ２１］
前記ＮＦＣフォーラムタグに新しいＮＤＥＦメッセージを書き込むように前記ＮＦＣＣに命令することをさらに備える、Ｃ１に記載の方法。
［Ｃ２２］
前記方法が、ＮＦＣ機能を備える電子デバイスによって実行される、Ｃ１に記載の方法。
［Ｃ２３］
前記電子デバイスがデバイスホスト（ＤＨ）を備える、Ｃ２２に記載の方法。
［Ｃ２４］
前記ＤＨが、ＮＦＣ通信のためのカバレージエリアの範囲内にあるとき、ＮＦＣターゲットデバイスおよびＮＦＣタグのうちの少なくとも１つを認識する、Ｃ２３に記載の方法。
［Ｃ２５］
前記ＮＤＥＦ  ＲＦインターフェースが、転送を実行するために、前記ＮＦＣフォーラムタイプ１〜４タグ動作仕様に対する動作のリンクを定義する、Ｃ１に記載の方法。
［Ｃ２６］
前記ＮＤＥＦ  ＲＦインターフェースが、前記リモートＮＦＣエンドポイント上でＮＤＥＦメッセージのためのアクセス制御を変更し得る機構を定義する、Ｃ１に記載の方法。
［Ｃ２７］
前記ＮＤＥＦ  ＲＦインターフェースが、いくつかのエラーシナリオとこれらのエラーシナリオに対する応答とを定義する、Ｃ１に記載の方法。
［Ｃ２８］
プロセッサと、
前記プロセッサと電子通信しているメモリと、
前記メモリに記憶された命令とを備え、前記命令が、前記プロセッサによって、
ニアフィールド通信（ＮＦＣ）データ交換フォーマット（ＮＤＥＦ）無線周波数（ＲＦ）インターフェース構成のためのポールモードを使用可能にし、構成することと、
ＮＦＣコントローラ（ＮＦＣＣ）がプロトコルアクティブ化を正常に完了すると、リモートＮＦＣエンドポイントがＮＦＣフォーラムタグを備えると決定することと、
前記ＮＦＣフォーラムタグのＲＦプロトコルに基づいてアクティブ化動作を実行することと
を行うように実行可能である、装置。
［Ｃ２９］
ＮＤＥＦ取得コマンドに基づいてＮＦＣフォーラムタグから完全なＮＤＥＦメッセージを取り出すことを行うように実行可能な命令をさらに備える、Ｃ２８に記載の装置。
［Ｃ３０］
ＮＤＥＦ配置コマンドに基づいてＮＦＣフォーラムタグ上に完全なＮＤＥＦメッセージを格納することを行うように実行可能な命令をさらに備える、Ｃ２８に記載の装置。
［Ｃ３１］
ＮＤＥＦ読取りアクセスコマンドに基づいて前記リモートＮＦＣエンドポイント上でＮＤＥＦメッセージについての読取りアクセスを変更することを行うように実行可能な命令をさらに備える、Ｃ２８に記載の装置。
［Ｃ３２］
ＮＤＥＦ書込みアクセスコマンドに基づいて前記リモートＮＦＣエンドポイント上でＮＤＥＦメッセージについての書込みアクセスを変更することを行うように実行可能な命令をさらに備える、Ｃ２８に記載の装置。
［Ｃ３３］
前記ＮＦＣＣが、フォーマット要件に準拠しないＮＦＣフォーラムコントローラインターフェース（ＮＣＩ）データメッセージを受信すると、ＮＤＥＦ＿ＯＰＥＲＡＴＩＯＮ＿ＩＮＶＡＬＩＤの値に設定された記述子フィールドをもち、パラメータをもたないＮＣＩデータメッセージを送ることを行うように実行可能な命令をさらに備える、Ｃ２８に記載の装置。
［Ｃ３４］
ＮＤＥＦ動作に失敗し、前記失敗が、前記ＮＦＣフォーラムタグの前記現在の状態を考慮すると前記ＮＤＥＦ動作が許可されないためであると前記ＮＦＣＣが決定することが可能であるとき、ＮＤＥＦ＿ＯＰＥＲＡＴＩＯＮ＿ＤＩＳＡＬＬＯＷＥＤの値に設定された記述子フィールドをもち、パラメータをもたないＮＣＩデータメッセージを送ることを行うように実行可能な命令をさらに備える、Ｃ２８に記載の装置。
［Ｃ３５］
ＮＤＥＦ配置動作に失敗し、前記失敗が前記ＮＦＣフォーラムタグ上に十分な空間がないことによると前記ＮＦＣＣが決定することが可能であるとき、値ＮＤＥＦ＿ＯＰＥＲＡＴＩＯＮ＿ＯＶＥＲＦＬＯＷに設定された前記記述子フィールドをもち、パラメータをもたないＮＣＩデータメッセージを送ることを行うように実行可能な命令をさらに備える、Ｃ２８に記載の装置。
［Ｃ３６］
ＮＤＥＦ動作に失敗し、前記ＮＦＣＣが前記失敗の理由を決定することができないとき、値ＮＤＥＦ＿ＯＰＥＲＡＴＩＯＮ＿ＦＡＩＬＥＤに設定された前記記述子フィールドをもち、パラメータをもたないＮＣＩデータメッセージを送ることを行うように実行可能な命令をさらに備える、Ｃ２８に記載の装置。
［Ｃ３７］
ニアフィールド通信（ＮＦＣ）データ交換フォーマット（ＮＤＥＦ）無線周波数（ＲＦ）インターフェース構成のためのポールモードを使用可能にし、構成するための手段と、
ＮＦＣコントローラ（ＮＦＣＣ）がプロトコルアクティブ化を正常に完了すると、リモートＮＦＣエンドポイントがＮＦＣフォーラムタグを備えると決定するための手段と、
前記ＮＦＣフォーラムタグのＲＦプロトコルに基づいてアクティブ化動作を実行するための手段と
を備える、電子デバイス。
［Ｃ３８］
ＮＤＥＦ取得コマンドに基づいてＮＦＣフォーラムタグから完全なＮＤＥＦメッセージを取り出すための手段をさらに備える、Ｃ３７に記載の電子デバイス。
［Ｃ３９］
ＮＤＥＦ配置コマンドに基づいてＮＦＣフォーラムタグ上に完全なＮＤＥＦメッセージを格納するための手段をさらに備える、Ｃ３７に記載の電子デバイス。
［Ｃ４０］
ＮＤＥＦ読取りアクセスコマンドに基づいて前記リモートＮＦＣエンドポイント上でＮＤＥＦメッセージについての読取りアクセスを変更するための手段をさらに備える、Ｃ３７に記載の電子デバイス。
［Ｃ４１］
ＮＤＥＦ書込みアクセスコマンドに基づいて前記リモートＮＦＣエンドポイント上でＮＤＥＦメッセージについての書込みアクセスを変更するための手段をさらに備える、Ｃ３７に記載の電子デバイス。
［Ｃ４２］
前記ＮＦＣＣが、フォーマット要件に準拠しないＮＦＣフォーラムコントローラインターフェース（ＮＣＩ）データメッセージを受信すると、ＮＤＥＦ＿ＯＰＥＲＡＴＩＯＮ＿ＩＮＶＡＬＩＤの値に設定された記述子フィールドをもち、パラメータをもたないＮＣＩデータメッセージを送るための手段をさらに備える、Ｃ３７に記載の電子デバイス。
［Ｃ４３］
ＮＤＥＦ動作に失敗し、前記失敗が、前記ＮＦＣフォーラムタグの前記現在の状態を考慮すると前記ＮＤＥＦ動作が許可されないためであると前記ＮＦＣＣが決定することが可能であるとき、ＮＤＥＦ＿ＯＰＥＲＡＴＩＯＮ＿ＤＩＳＡＬＬＯＷＥＤの値に設定された記述子フィールドをもち、パラメータをもたないＮＣＩデータメッセージを送るための手段をさらに備える、Ｃ３７に記載の電子デバイス。
［Ｃ４４］
ＮＤＥＦ配置動作に失敗し、前記失敗が前記ＮＦＣフォーラムタグ上に十分な空間がないことによると前記ＮＦＣＣが決定することが可能であるとき、値ＮＤＥＦ＿ＯＰＥＲＡＴＩＯＮ＿ＯＶＥＲＦＬＯＷに設定された前記記述子フィールドをもち、パラメータをもたないＮＣＩデータメッセージを送るための手段をさらに備える、Ｃ３７に記載の電子デバイス。
［Ｃ４５］
ＮＤＥＦ動作に失敗し、前記ＮＦＣＣが前記失敗の理由を決定することができないとき、値ＮＤＥＦ＿ＯＰＥＲＡＴＩＯＮ＿ＦＡＩＬＥＤに設定された前記記述子フィールドをもち、パラメータをもたないＮＣＩデータメッセージを送るための手段をさらに備える、Ｃ３７に記載の電子デバイス。
［Ｃ４６］
命令を有する非一時的有形コンピュータ可読媒体を備える、コンピュータプログラム製品であって、前記命令が、
ニアフィールド通信（ＮＦＣ）データ交換フォーマット（ＮＤＥＦ）無線周波数（ＲＦ）インターフェース構成のためのポールモードを使用可能にし、構成することを電子デバイスに行わせるためのコードと、
ＮＦＣコントローラ（ＮＦＣＣ）がプロトコルアクティブ化を正常に完了すると、リモートＮＦＣエンドポイントがＮＦＣフォーラムタグを備えると決定することを前記電子デバイスに行わせるためのコードと、
前記ＮＦＣフォーラムタグのＲＦプロトコルに基づいてアクティブ化動作を実行することを前記電子デバイスに行わせるためのコードと、
を備える、コンピュータプログラム製品。
［Ｃ４７］
ＮＤＥＦ取得コマンドに基づいてＮＦＣフォーラムタグから完全なＮＤＥＦメッセージを取り出すことを前記電子デバイスに行わせるためのコードをさらに備える、Ｃ４６に記載のコンピュータプログラム製品。
［Ｃ４８］
ＮＤＥＦ配置コマンドに基づいてＮＦＣフォーラムタグ上に完全なＮＤＥＦメッセージを格納することを前記電子デバイスに行わせるためのコードをさらに備える、Ｃ４６に記載のコンピュータプログラム製品。
［Ｃ４９］
ＮＤＥＦ読取りアクセスコマンドに基づいて前記リモートＮＦＣエンドポイント上でＮＤＥＦメッセージについての読取りアクセスを変更することを前記電子デバイスに行わせるためのコードをさらに備える、Ｃ４６に記載のコンピュータプログラム製品。
［Ｃ５０］
ＮＤＥＦ書込みアクセスコマンドに基づいて前記リモートＮＦＣエンドポイント上でＮＤＥＦメッセージについての書込みアクセスを変更することを前記電子デバイスに行わせるためのコードをさらに備える、Ｃ４６に記載のコンピュータプログラム製品。
［Ｃ５１］
前記ＮＦＣＣが、フォーマット要件に準拠しないＮＦＣフォーラムコントローラインターフェース（ＮＣＩ）データメッセージを受信すると、ＮＤＥＦ＿ＯＰＥＲＡＴＩＯＮ＿ＩＮＶＡＬＩＤの値に設定された記述子フィールドをもち、パラメータをもたないＮＣＩデータメッセージを送ることを前記電子デバイスに行わせるためのコードをさらに備える、Ｃ４６に記載のコンピュータプログラム製品。
［Ｃ５２］
ＮＤＥＦ動作に失敗し、前記失敗が、前記ＮＦＣフォーラムタグの前記現在の状態を考慮すると前記ＮＤＥＦ動作が許可されないためであると前記ＮＦＣＣが決定することが可能であるとき、ＮＤＥＦ＿ＯＰＥＲＡＴＩＯＮ＿ＤＩＳＡＬＬＯＷＥＤの値に設定された記述子フィールドをもち、パラメータをもたないＮＣＩデータメッセージを送ることを前記電子デバイスに行わせるためのコードをさらに備える、Ｃ４６に記載のコンピュータプログラム製品。
［Ｃ５３］
ＮＤＥＦ配置動作に失敗し、前記失敗が前記ＮＦＣフォーラムタグ上に十分な空間がないことによると前記ＮＦＣＣが決定することが可能であるとき、値ＮＤＥＦ＿ＯＰＥＲＡＴＩＯＮ＿ＯＶＥＲＦＬＯＷに設定された前記記述子フィールドをもち、パラメータをもたないＮＣＩデータメッセージを送ることを前記電子デバイスに行わせるためのコードをさらに備える、Ｃ４６に記載のコンピュータプログラム製品。
［Ｃ５４］
ＮＤＥＦ動作に失敗し、前記ＮＦＣＣが前記失敗の理由を決定することができないとき、値ＮＤＥＦ＿ＯＰＥＲＡＴＩＯＮ＿ＦＡＩＬＥＤに設定された前記記述子フィールドをもち、パラメータをもたないＮＣＩデータメッセージを送ることを前記電子デバイスに行わせるためのコードをさらに備える、Ｃ４６に記載のコンピュータプログラム製品。